(57)【要約】      （修正有）【課題】コードリールを屋外で使用する場合、雨天時では作業者が感電する恐れがあるので、安全に作業が可能となるよう、コードリール本体を全て屋外用コードリールカバーで覆い、感電事故などの発生を防止する屋外用コードリールカバーを提供する。【解決手段】コードリール全体を屋外用コードリールカバー１で覆うものである。屋外用コードリールカバー１は、脚部・取っ手側側面２とその反対側にコンセント差し込み側側面３、それに連設したコード差し込み側側面４で構成される。コード差し込み側側面４にはコード挿入口５を複数設け、雨天時に拘わらずプラグコードが挿入可能である。屋外用コードリールカバー１底部には伸縮性のある雨仕舞用紐６を取付け、風雨時であってもコードリールは濡れることなく、作業者の安全が確保される。【選択図】図２
0003217700.tif 000002
【実用新案登録請求の範囲】
【請求項１】
延長電源コードリールのコンセントにプラグを差し込む時、当該部分が雨などで濡れないようにすることで、作業者が感電する恐れのない安全なコードリールカバーであって、コードリール本体を支持する脚部や取っ手と、それに取付られた巻取りドラム及び延長電気コードを含め、コードリール全体を覆う蒲鉾型の屋外用コードリールカバー。
【請求項２】
防水性材質で可撓性がある透明又は半透明からなることを特徴とする請求項１記載の屋外用コードリールカバー。
【請求項３】
蒲鉾型の形状は軸方向は少なくとも上部はコード巻き取りドラム幅に余裕を加えた長さとし、高さは巻取りドラムの直径を上回ることを特徴とする請求項１又は請求項２記載の屋外用コードリールカバー。
【請求項４】
蒲鉾型の軸方向側面は２面であり、その１側面は楕円形で垂直であって、反対側の側面は、コードリールに設けられたプラグ差し込み口最下部付近から内側下部方向に傾斜面を設けたことを特徴とする請求項１から請求項３のいずれか記載の屋外用コードリールカバー。
【請求項５】
内側下部方向に向う傾斜面には、縦方向にプラグコード挿入用の切込口を設けたことを特徴とする請求項１から請求項４のいずれか記載の屋外用コードリールカバー。
【請求項６】
底部には、雨仕舞や防風対策用として伸縮性を有する雨仕舞用紐を取付けたことを特徴とする請求項１から請求項５のいずれか記載の屋外用コードリールカバー。
【請求項７】
底部の伸縮性ある雨仕舞用紐を若干拡げ、コードリールの取っ手側にカバーの垂直面を、プラグ差し込み口側には縦方向にプラグコード挿入用の切込口を設けた側面となるよう、コードリール全体を覆い被せたことを特徴とする請求項１から請求項６のいずれか記載の屋外用コードリールカバー。
【考案の詳細な説明】
【技術分野】
【０００１】  本考案は、屋外用コードリールカバーに関するものである。
【背景技術】
【０００２】  電源から離れた作業現場においては、電源供給の為にドラム型の本体に電源コードを巻き付けたコードリールが用いられる。先ず、元電源に接続したコードリールを作業現場に持ち込み、その接続端子であるコンセントに電動工具のプラグを差し込み使用する。コードリールには、種々の構造を持つ製品が提供されている。大別すると屋内，屋外型に分けられ、屋外型にはフランジの端面に装着固定した筒状の防雨カバーを取り付けて漏電や感電事故を防止するコードリールがある（特許文献１）。
しかし、この防雨カバーは全てのコンセントを覆う筒体と、この筒体の先端に接着テープで装着された筒状カバーを取付ける必要があり、作業効率上不便である。
【先行技術文献】
【特許文献】
【０００３】
【特許文献１】実登３１１１３１８
【考案の概要】
【考案が解決しようとする課題】
【０００４】  しかしながら、このようなコードリールを屋外で使用する場合、コードリールのフランジの端面からコンセントが剥き出しであるため、プラグをコンセントに差し込む時、当該部分が雨で濡れて作業者が感電する恐れがある。
本考案は、上記問題点に鑑みてなされたもので、延長電気コードのプラグをコンセントに差し込む時、当該部分が雨に濡れて作業者が感電する恐れのない屋外用コードリールカバーを提供することを目的とする。
【課題を解決するための手段】
【０００５】  上記課題を解決するために、本考案の屋外用コードリールカバーは、延長電源コードリールのコンセントにプラグを差し込む時、当該部分が雨などで濡れないようにすることで、作業者が感電する恐れのない安全なコードリールカバーであって、コードリール本体を支持する脚部や取っ手と、それに取付けられた巻取りドラム及び延長電気コードを含め、コードリール全体を覆う蒲鉾型に形成したものである。【０００６】  コードリールのスタンド脚部及び取っ手に保持される複数の接続端子を持つドラムなど、全てを蒲鉾型の屋外用コードリールカバーで覆うことにより、延長電源コードリールのコンセントにプラグを差し込む時、当該部分が雨で濡れる恐れがなく作業者の感電事故を防止できる。【０００７】  本考案の請求項２に係る屋外用コードリールカバーは、防水性材質で可撓性のある成形された透明又は半透明であり、プラグの着脱が容易に出来る。【０００８】  本考案の請求項３に係る屋外用コードリールカバーの蒲鉾型の軸方向長さは、コンセントに差し込むプラグコードの曲率半径を考慮した空間を確保し、上部はコード巻取りドラム幅に余裕を加えた長さとし、高さは巻取りドラムの直径を上回るように形成したことにより、コードリールカバーの着脱が容易に出来る。【０００９】  本考案の請求項４に係る屋外用コードリールカバーは、蒲鉾型で軸方向の１側面は楕円形で垂直な面である。その反対側は、コンセント側で半楕円形であり、頂点よりプラグ差し込み口最下部付近から内側下部方向に傾斜面にしたことにより、雨で濡れずに作業をすることが出来る。【００１０】  本考案の請求項５に係る屋外用コードリールカバーは、内側下部方向に向う傾斜面には複数のコードを挿入することが可能で、且つ補強された切込口を設けたことにより、効率良くコードの挿入，取外しが可能となる。【００１１】  本考案の請求項６に係る底部に雨仕舞や防風対策用として取付ける雨仕舞用紐は素材が、ゴム或いは伸縮性を有する紐であるため、コードリールへの雨の侵入を防止することが出来る。【００１２】  本考案の請求項７に係る底部の伸縮性のある紐を若干拡げ、コードリールの取っ手側にカバーの垂直面を、プラグ差し込み口側には縦方向にプラグコード挿入用の切込口を設けた側面となるよう被せることで、コードリール全体を覆うことが可能となる。
【考案の効果】
【００１３】  本考案に係る屋外用コードリールカバーでは、コードリールのスタンド脚部及び取っ手、それ等に支持される接続端子が取付られたドラム等コードリール全体を覆うことにより、延長電気コードのプラグをコンセントに差し込む時、当該部分が雨で濡れる恐れがなくなり、作業者が感電することなく安全に作業が出来る効果を奏する。
【図面の簡単な説明】
【００１４】
【図１】  本考案の屋外用コードリールカバーの取付け状態を示す側面図である。
【図２】  屋外用コードリールカバーの側面図である。
【図３】  屋外用コードリールカバーの正面図である。
【考案を実施するための形態】
【００１５】  本考案を実施するための形態を図１ないし図２を参照して説明する。
図１ないし図２に示すように、蒲鉾型本体１は軸方向に楕円形で垂直な側面２を持ち、その反対側側面３はコンセント側で半楕円形であり、コードリールのプラグ差し込み口最下部付近から傾斜面４を、底部には伸縮性のある雨仕舞用紐６を設け、コードリール７全体を覆うよう構成される。
【００１６】  蒲鉾型の軸線長さは、コードリール脚部と取っ手部は側面２に添い、反対側側面３及び４はコンセントの差し込み側に当り、プラグの形状及びコードの折り曲げ長さを加算して形成している。
【００１７】  側面３から底部に向う側面４には挿入口５を設け、複数のコードの挿入を可能とすると共に、着脱時に雨などからの防御対策が考慮されている。
【００１８】  屋外用コードリールカバー１の底部に取付けた雨仕舞用紐６の伸縮性でコードリール全体を覆い被せ、雨などの侵入を防止する機能を持たせている。
【実施例】
【００１９】  コードリール（フランジ直径２５ｃｍ，高さ３２ｃｍ，奥行１４ｃｍ）に装着した屋外用コードリールカバーの形状は、蒲鉾型の軸方向長さは上部で３０ｃｍ，下部で２０ｃｍである。特に上部軸方向長さは、コンセントにプラグを差し込む際のプラグとコードの折り曲げ長さを加算し、余裕を持たせる。側面４にはプラグコード挿入口５を２箇所、それぞれ長さを１０ｃｍとする。コード挿入口５をコード差し込み側面４に設けたことで、降雨中でも雨に当らずにプラグコードを複数挿入することが可能となった。
また、カバー底部に伸縮性を有する雨仕舞用紐６を取付けることで容易にカバーの着脱が可能となった。
【産業上の利用可能性】
【００２０】  本考案の屋外用コードリールカバーは、建設工事，工場，展示場，野外活動等産業用，家庭用に利用することが出来る。
【符号の説明】
【００２１】１  屋外用コードリールカバー
２  脚部・取っ手側側面
３  コンセント差し込み側側面
４  コード差し込み側側面
５  コード挿入口
６  雨仕舞用紐
７  コードリール
【図１】
0003217700.tif 000003
【図２】
0003217700.tif 000004
【図３】
0003217700.tif 000005